(57)【要約】【課題】貼着部材の貼付時や身体装着時に、貼着面と指先とが重なることなく安定した状態で確実に摘んで持つことができ、貼着部材を位置精度良くかつ簡単に貼り付けることができるとともに身体への装着も容易に行うことができ、しかも装着時にスマートな印象を与えることができる装身具用台座を提供すること。【解決手段】貼着部材が貼着される貼着面２ａが形成された身体装着部２と、身体装着部２の貼着面２ａ以外の面２ｃから人の指で摘み可能な長さで延出された延出部３と、延出部３の端部に形成された装飾体取付部４とを含んで構成されている。【選択図】図１
0003199360.tif 000002
【実用新案登録請求の範囲】
【請求項１】
貼着部材が貼着される貼着面が形成された身体装着部と、
該身体装着部の前記貼着面以外の面から人の指で摘み可能な長さで延出された延出部と、
該延出部の端部に形成された装飾体取付部とを含んで構成されていることを特徴とする装身具用台座。
【請求項２】
前記身体装着部の前記貼着面以外の面から前記延出部とは異なる方向に突出形成された突出部を備え、
該突出部が、人の指で摘み可能な大きさで形成されていることを特徴とする請求項１記載の装身具用台座。
【請求項３】
前記身体装着部が、１ｃｍ２以下の前記貼着面を有する薄板部材で形成され、
前記延出部が、前記薄板部材の側面から片持ち状に湾曲延出され、
前記突出部が、前記薄板部材の前記貼着面の反対面から突出形成されていることを特徴とする請求項２記載の装身具用台座。
【請求項４】
貼着部材が貼着される貼着面が形成された身体装着部と、
該身体装着部の前記貼着面とは異なる面から人の指で摘み可能な大きさで突出形成された突出部と、
前記身体装着部の前記貼着面とは異なる面から突出形成された装飾体取付部とを含んで構成されていることを特徴とする装身具用台座。
【請求項５】
前記身体装着部に前記突出部を着脱可能に嵌合させる嵌合部が形成されていることを特徴とする請求項２〜４のいずれかの項に記載の装身具用台座。
【請求項６】
前記突出部が、弾性樹脂部材で形成されていることを特徴とする請求項５記載の装身具用台座。
【請求項７】
前記突出部が、小片板状、リング形状、棒状、又は断面略凸形状に形成されていることを特徴とする請求項２〜５のいずれかの項に記載の装身具用台座。
【請求項８】
前記貼着部材が貼着された前記貼着面を耳たぶに取り付ける耳飾り用として用いることを特徴とする請求項１〜７のいずれかの項に記載の装身具用台座。
【請求項９】
請求項１〜８のいずれかの項の装身具用台座の前記装飾体取付部に装飾体が取り付けられていることを特徴とする装身具。
【考案の詳細な説明】
【技術分野】
【０００１】
本考案は装身具用台座及び装身具に関し、より詳細には耳などの身体の一部に貼り付けて使用することができる装身具用台座及び装身具に関する。
【背景技術】
【０００２】
従来より耳用の装身具（耳飾り）として、留め具で耳に留めるイヤリングや耳たぶに穴を開けて取り付けるピアスが広く利用されている。
ピアスは、耳に固定する留め具が正面から見えにくく、かつ脱落しにくくスマートな印象を与えるが、耳にピアス穴を開ける必要があるため、金属アレルギーを持つ人や年少者等には着用が躊躇され、また、金属アレルギーを持たない人にとってもピアス穴は衛生的に保たなければ化膿しやすく、皮膚トラブルが生じやすいという課題があった。
【０００３】
イヤリングは一般的に装飾体部分と留め具部分とで構成され、留め具には、ネジ式、スクリュー式、ネジバネ式、バネスクリュー式、バネクリップ式などの形式のものがよく採用されている。これら留め具は、耳たぶに挟んだ状態で固定する形式のため、装着者の正面からも留め具部分が見えてしまい、ピアスのようなスマートな印象を与えることが難しく、また、留め具の締め付け具合が弱いと脱落し易く、一方で締め付け具合が強いと耳たぶの痛みや頭痛が生じることがあるという課題があった。
【０００４】
耳たぶに挟まないタイプのイヤリングとしてイヤーフックがあるが、耳の付け根に引っ掛けて着用するため、髪をさわったりすることで外れるおそれがあり、また、形状も大きくスマートさに欠け、着用時に違和感を生じる場合もあるという課題があった。
【０００５】
また、留め具式以外のイヤリングとしてマグネット式のイヤリングが知られている（例えば、下記の特許文献１、２参照）。マグネット式のイヤリングは、耳たぶの正面側に取り付ける装飾部材の裏面に磁石を設け、耳たぶの裏側にも小円盤状をした磁石を配置して、これら磁石で耳たぶを挟んで固定するものである。しかしながらマグネット式イヤリングは、磁気が強すぎて痛みを感じる場合があり、また、スマートに見せるために磁石を小さくすると、磁気が弱くなり外れやすくなり、また磁石が小さくなると耳への装着がしにくくなるという課題があった。
【０００６】
また、イヤリング本体の裏側に接着剤を配し、これを指先で押えて耳たぶに付着する接着式のイヤリングも開示されている（下記の特許文献３参照）。特許文献３記載の接着式のイヤリングは、留め具が不要であるため、着用時にスマートな印象を呈することができるが、持ち手となる部分がなく、指先でイヤリング本体を摘まんだ場合、指の腹にイヤリング本体（裏面）の周縁部が食い込み、接着剤を配する裏面が指と一部重なってしまうため、指で摘まんだ状態で裏面全面へ接着剤をきれいに塗布することが難しく、また、塗布後、耳に装着する場合には、裏面に塗布した接着剤が指先に付着しやすく、また、指で摘まんだ状態での安定性が悪く、装着時に指から脱落しやすいという課題があった。
【０００７】
そこで、出願人は、これら課題を解決すべく、持ちにくさを解消することで粘着部材の付け直し及び身体への脱着を容易に行うことができ、使い捨てでなく繰り返し使用できる装身具用台座及び装身具を先に出願した（下記の特許文献４参照）。
【０００８】
図７（ａ）は、特許文献４記載の装身具用台座を示す斜視図であり、図７（ｂ）は、装身具用台座を手に持った状態を示す図である。装身具用台座５０は、図示しない粘着部材を取り付ける平面部５１と、溝（または窪み）５２が形成された側面部５３と、図示しない装飾部材が設けられる装飾面５４とを含み、側面部５３の溝（または窪み）５２に指または爪を挿入して持つことができるようになっている。
【０００９】
しかしながら、耳飾りとしてよりスマートな印象を与えるために装身具用台座５０本体を薄く小さな形状にしていくと、側面部５３の溝５２の幅が狭くなり、溝５２に指先を挿入することができなくなる。そのため、溝５２に爪を挿入して摘まむこととなるが、爪が短い人は、容易に摘まむことができない。また、指先の内側（指の腹）で側面部５３を摘まむと、指の腹に平面部５１が食い込む形態となるため、特許文献３記載の接着式のイヤリングと同様、平面部５１に粘着部材を取り付けにくく、また安定感が悪く、粘着部材が取り付けられた平面部５１を耳たぶの裏に装着しにくいという課題があった。
【先行技術文献】
【特許文献】
【００１０】
【特許文献１】実開平４−７１５０８号公報
【特許文献２】特開昭５４−９４９７６号公報
【特許文献３】実公昭５１−６３１７号公報
【特許文献４】特開２０１１−２５５１７０号公報
【考案の概要】
【課題を解決するための手段及びその効果】
【００１１】
本考案は上記課題に鑑みなされたものであって、貼着部材の貼り付け時や身体への装着時に、貼着面と指先とが重なることなく安定した状態で確実に摘んで持つことができ、貼着部材を位置精度良くかつ簡単に貼り付けることができるとともに身体への装着も容易に行うことができ、しかも装着時にスマートな印象を与えることができる装身具用台座及び装身具を提供することを目的としている。
【００１２】
上記目的を達成するために本考案に係る装身具用台座（１）は、貼着部材が貼着される貼着面が形成された身体装着部と、該身体装着部の前記貼着面以外の面から人の指で摘み可能な長さで延出された延出部と、該延出部の端部に形成された装飾体取付部とを含んで構成されていることを特徴としている。
【００１３】
上記装身具用台座（１）によれば、前記身体装着部の前記貼着面以外の面から前記延出部が延出されているので、貼着部材の貼り付け時や身体への装着時に、貼着面と指先とが重なることなく安定した状態で確実に摘んで持つことができ、前記貼着部材を位置精度良くかつ簡単に貼り付けることができるとともに身体への装着も容易に行うことができる。前記延出部の端部に形成された前記装飾体取付部に装飾体を取り付けることができ、前記身体装着部を身体の正面から見えにくい場所に貼り付けることで、装着時にスマートな印象を与える外観を呈することができる。
【００１４】
また本考案に係る装身具用台座（２）は、上記装身具用台座（１）において、前記身体装着部の前記貼着面以外の面から前記延出部とは異なる方向に突出形成された突出部を備え、該突出部が、人の指で摘み可能な大きさで形成されていることを特徴としている。
【００１５】
上記装身具用台座（２）によれば、前記身体装着部の前記貼着面以外の面から前記延出部とは異なる方向に前記突出部が形成されているので、前記突出部を指で摘まむことができ、前記貼着部材の貼り付け時や身体への装着時に、前記貼着面と指先とが重なることなく安定した状態で確実に摘んで持つことができ、前記貼着部材を位置精度良くかつ簡単に貼り付けることができるとともに身体への装着も容易に行うことができる。
【００１６】
また本考案に係る装身具用台座（３）は、上記装身具用台座（２）において、前記身体装着部が、１ｃｍ２以下の前記貼着面を有する薄板部材で形成され、前記延出部が、前記薄板部材の側面から片持ち状に湾曲延出され、前記突出部が、前記薄板部材の前記貼着面の反対面から突出形成されていることを特徴としている。
【００１７】
上記装身具用台座（３）によれば、前記身体装着部が薄くて小さい部材であっても、前記延出部と前記突出部により、前記貼着部材の貼り付け時や身体への装着時に、前記貼着面と指先とが重なることなく安定した状態で確実に摘んで持つことができ、前記貼着部材を位置精度良くかつ簡単に貼り付けることができるとともに身体への装着も容易に行うことができる。また、前記身体装着部が薄くて小さい部材で形成されているので、装着時によりスマートな印象を与える効果を高めることができる。また、前記延出部が湾曲状に形成されているので、例えば、前記身体装着部を耳たぶの裏に取り付けた場合、前記延出部の端部に設けられた前記装飾体取付部を耳たぶの正面寄りに位置させることができ、前記装飾体取付部に取り付けられた装飾体の見栄えをよくすることができ、自然な外観を呈することができる。
【００１８】
また本考案に係る装身具用台座（４）は、貼着部材が貼着される貼着面が形成された身体装着部と、該身体装着部の前記貼着面とは異なる面から人の指で摘み可能な大きさで突出形成された突出部と、前記身体装着部の前記貼着面とは異なる面から突出形成された装飾体取付部とを含んで構成されていることを特徴としている。
【００１９】
上記装身具用台座（４）によれば、前記身体装着部の前記貼着面以外の面から前記突出部が形成されているので、貼着部材の貼り付け時や身体への装着時に、貼着面と指先とが重なることなく安定した状態で確実に摘んで持つことができ、前記貼着部材を位置精度良くかつ簡単に貼り付けることができるとともに身体への装着も容易に行うことができる。前記装飾体取付部に装飾体を取り付けることができ、前記身体装着部を身体の正面から見えにくい部位に貼り付けることで、装着時にスマートな外観を呈することができる。
【００２０】
また本考案に係る装身具用台座（５）は、上記装身具用台座（２）〜（４）のいずれかにおいて、前記身体装着部に前記突出部を着脱可能に嵌合させる嵌合部が形成されていることを特徴としている。
【００２１】
上記装身具用台座（５）によれば、前記身体装着部に前記嵌合部が形成されているので、前記突出部を着脱可能に嵌合させることが可能となり、前記突出部を交換することができる。したがって、様々なデザイン形状をした前記突出部を用意しておくことで、デザインのバリエーションを楽しむことが可能となり、ファッション性を高めることができる。
【００２２】
また本考案に係る装身具用台座（６）は、上記装身具用台座（４）又は（５）において、前記突出部が、弾性樹脂部材で形成されていることを特徴としている。
上記装身具用台座（６）によれば、前記突出部が弾性樹脂部材、例えば、柔らかいシリコン樹脂などで形成されているので、前記嵌合部への嵌め込み（着脱）を容易に行うことができ、また、指で摘まんだときに滑りにくく、触感をソフトなものにすることができる。
【００２３】
また本考案に係る装身具用台座（７）は、上記装身具用台座（２）〜（５）のいずれかにおいて、前記突出部が、小片板状、リング形状、棒状、又は断面略凸形状に形成されていることを特徴としている。
上記装身具用台座（７）によれば、前記突出部が、小片板状、リング形状、棒状、又は断面略凸形状に形成されているので、前記突出部のデザインを楽しむことができ、意匠性を高めることができる。
【００２４】
また本考案に係る装身具用台座（８）は、上記装身具用台座（１）〜（７）のいずれかにおいて、前記貼着部材が貼着された前記貼着面を耳たぶに取り付ける耳飾り用として用いることを特徴としている。
上記装身具用台座（８）によれば、前記貼着部材が貼着された前記貼着面を耳たぶに取り付ける耳飾り用として用いるものであるので、正面からは見えにくい耳たぶの裏であっても容易に装着を行うことができ、また、スマートな印象を与えることができる耳飾りとすることができる。
【００２５】
また本考案に係る装身具は、上記装身具用台座（１）〜（８）のいずれかの装身具用台座の前記装飾体取付部に装飾体が取り付けられていることを特徴としている。
上記装身具によれば、上記装身具用台座（１）〜（８）のいずれかの装身具用台座による効果を得ることができ、身体の正面からは見えない耳たぶの裏などに装着する耳飾りとして好適な装身具とすることができる。
【図面の簡単な説明】
【００２６】
【図１】本考案の実施の形態（１）に係る装身具用台座を示した図であり、（ａ）は側面図、（ｂ）は斜視図である。
【図２】実施の形態（１）に係る装身具用台座に装飾部材が取り付けられた装身具が耳に装着された状態を示す拡大図であり、（ａ）は正面図、（ｂ）は背面図である。
【図３】（ａ）〜（ｅ）は別の実施の形態に係る装身具用台座を示した斜視図である。
【図４】（ａ）、（ｂ）はさらに別の実施の形態に係る装身具用台座を示した斜視図である。
【図５】さらに別の実施の形態に係る装身具用台座を示した斜視図である。
【図６】実施の形態（２）に係る装身具用台座を示した斜視図であり、（ａ）は突出部が取り外されている状態、（ｂ）は突出部が取り付けられている状態を示している。
【図７】（ａ）は従来の装身具用台座を示す斜視図であり、（ｂ）は従来の装身具用台座を指で摘んだ状態を示す図である。
【考案を実施するための形態】
【００２７】
以下、本考案に係る装身具用台座及び装身具の実施の形態を図面に基づいて説明する。なお、以下に述べる実施の形態は、本考案の好適な具体例であるから、技術的に好ましい種々の限定が付されているが、本考案の範囲は、以下の説明において特に本考案を限定する旨の記載がない限り、これらの形態に限定されるものではない。
【００２８】
図１は、実施の形態（１）に係る装身具用台座を示す図であり、（ａ）は側面図、（ｂ）は斜視図である。
装身具用台座１は、図示しない貼着部材が貼着される貼着面２ａが形成された身体装着部２と、身体装着部２の貼着面２ａ以外の面から人の指で摘み可能な長さで延出された延出部３と、延出部３の端部に形成された装飾体取付部４と、身体装着部２の貼着面２ａ以外の面から延出部３とは異なる方向に突出形成された突出部５とを含んで構成されている。
【００２９】
身体装着部２は、薄型円盤形状に形成され、一方の面に平面状の貼着面２ａ、他方の面に突出部５を形成する平面状の形成面２ｂが形成され、貼着面２ａと形成面２ｂとの間には、狭い幅の環状の側面２ｃが形成されている。
【００３０】
身体装着部２の大きさは、耳飾り用とする場合、貼着面２ａの面積が略１ｃｍ２以下（より好ましくは、直径５ｍｍ〜８ｍｍ前後の円）、側面２ｃの厚みが０．５ｍｍ〜１．５ｍｍ程度に設定することが好ましいが、貼着面２ａの面積や側面２ｃの厚みのサイズはこれに限定されるものではなく、装着部位に応じたサイズに適宜設定することが可能である。なお、身体装着部２の形状は、円盤形状に限定されるものではなく、三角形や四角形などの多角形、楕円形など、デザインに応じて種々変更することが可能である。
【００３１】
貼着面２ａに貼着される貼着部材（図示せず）は、皮膚等に貼り付け可能で十分な接着力を有する両面接着テープ（貼着面の大きさにカットされたもの）が好適に採用され得るが、これに特に限定されるものではなく、身体に接着可能な接着剤などを塗布するようにしてもよい。
【００３２】
延出部３は、身体装着部２の側面２ｃから貼着面２ａの方向に片持ち状に湾曲させて延出されており、延出部３の先端部に、小さなリング形状をした装飾体取付部４が形成されている。延出部３の長さは、その外観及び機能の観点から５ｍｍ〜１３ｍｍ程度が好ましいが、人が指先で摘むことができる長さであれば、特に限定されるものではない。装飾体取付部４のリングのサイズは、リングの外径が２ｍｍ前後の小さなサイズが好ましいが、特に限定されるものではなく、装飾体１０を取り付けることができる小さめのサイズであればよい。なお、延出部３は、身体装着部２の側面２ｃから延出されているが、形成面２ｂから延出された構成にすることもでき、また、延出部３の延出方向は、貼着面２ａの方向が好ましいが、この方向に限定されるものではない。
【００３３】
突出部５は、身体装着部２の形成面２ｂから突出させた略ハート形状の小片部材で形成されている。突出部５の大きさは、その外観及び機能の１ｃｍ２に収まる程度の大きさとすることが好ましいが、人が指先で摘むことができる大きさ、形状であれば、特に限定されるものではない。
【００３４】
装身具用台座１を構成する身体装着部２、延出部３、装身具取付部４及び突出部５は、金属素材にメッキ処理がなされた部材により一体形成されている。装身具用台座１の各部は、装飾性を高めるため金属素材にメッキ処理がなされた部材（例えば、真鍮メッキ部材）が好適に採用され得るが、樹脂、プラスチック、木材、ガラス等で形成してよく、材質は特に限定されない。
【００３５】
図２は、実施の形態（１）に係る装身具用台座１に装飾体１０が取り付けられた装身具１１を耳に装着した状態を示す拡大図であり、（ａ）は正面図、（ｂ）は背面図である。
装身具１１を耳たぶ２０に装着する場合、まず、装身具用台座１の延出部３又は突出部５を指（指先の腹）で摘み、貼着面２ａに貼着部材（図示せず）を貼り付ける。その後、延出部３及び／又は突出部５を指（指先の腹）で摘んだ状態で、耳たぶ２０の裏まで運び、貼着部材が貼られた貼着面２ａを耳たぶ２０の裏に貼り付ける。貼着面２ａは耳たぶ２０よりはみ出すことはなく、また耳たぶ２０の直下（やや正面寄り）に装飾体１０が吊られた状態となり、装飾体１０が正面から良く視認できるとともに、ピアスと同等以上にスマートな印象を与えることが可能となる。
【００３６】
上記実施の形態（１）に係る装身具用台座１によれば、身体装着部２の側面２ｃから延出部３が延出形成され、また身体装着部２の貼着面２ａとは反対側の形成面２ｂに突出部５が突出形成されているので、延出部３及び／又は突出部５を指先の内側（指の腹）で摘むことができる。したがって、身体装着部２が薄く小さい部材であっても貼着部材の貼り付け時や身体への装着時に、貼着面２ａと指先とが重なることなく、かつ安定した状態で確実に摘んで持つことができ、貼着部材を位置精度良くかつ簡単に貼り付けることができるとともに耳たぶへの装着も容易に行うことができる。
【００３７】
また、延出部３の端部に形成された装飾体取付部４に装飾体１０を取り付けることができ、身体装着部２を身体の正面から見えにくい耳たぶの裏に貼り付けることで、装着時にスマートな印象を与える外観を呈することができる。
【００３８】
また、延出部３が湾曲状に形成されているので、例えば、身体装着部２を耳たぶの裏に貼り付けた場合、延出部３の端部に設けられた装飾体取付部４を耳たぶの真下（やや正面寄り）に位置させることができ、装飾体取付部４に取り付けられた装飾体１０の見栄えをよくすることができ、より自然な外観を呈することができる。また、身体装着部２が薄くて小さい部材で形成されているので、軽量で装着時に邪魔にならず、スマートな印象を与える効果を高めることができる。
【００３９】
なお、上記実施の形態（１）に係る装身具用台座１では、突出部５が形成面２ｂに形成されているが、別の実施の形態では、形成面２ｂに突出部５を設けない構成、すなわち、身体装着部２と、延出部３と、装飾体取付部４とで構成することもできる。かかる構成であっても、延出部３を指先の内側（指の腹）で摘むことができ、貼着面２ａと指先とが重なることなく、かつ安定した状態で確実に摘んで持つことができ、貼着部材を位置精度良くかつ簡単に貼り付けることができるとともに耳たぶへの装着も容易に行うことができ、また、よりスマートな印象を与えることができる。
【００４０】
また、上記実施の形態（１）に係る装身具用台座１では、突出部５が略ハート形状をした小片部材で形成されているが、突出部５の形状はこれに限定されるものではなく、人の指（指先の内側）で摘むことができる形態であればよく、別の実施の形態に係る装身具用台座では、図３（ａ）〜（ｅ）に示した種々の形態のものを採用することができる。
【００４１】
図３（ａ）に示した装身具用台座１Ａでは、突出部５Ａが三つ葉形状に形成され、図３（ｂ）に示した装身具用台座１Ｂでは、突出部５Ｂが複数の小片が花ビラ形状に形成され、図３（ｃ）に示した装身具用台座１Ｃでは、突出部５Ｃが略ハートのリング形状に形成され、図３（ｄ）に示した装身具用台座１Ｄでは、突出部５Ｄが略円形リング形状に形成され、図３（ｅ）に示した装身具用台座１Ｅでは、突出部５Ｅが、先端部が膨らんだ細棒形状に形成されている。図３（ａ）〜（ｅ）に示したいずれの形態であっても、突出部５Ａ、５Ｂ、５Ｃ、５Ｄ、５Ｅを指（指先の腹）で摘むことができるようになっている。
【００４２】
また、さらに別の実施の形態に係る装身具用台座では、図４（ａ）、（ｂ）に示した形態のものを採用することができる。図４（ａ）に示した装身具用台座１Ｆでは、突出部５Ｆが、形成面２ｂの略中央に逆円錐台形状に形成され、図４（ｂ）に示した装身具用台座１Ｇでは、突出部５Ｇが、形成面２ｂの直径方向に断面逆台形状の凸状部として形成されている。図４（ａ）、（ｂ）に示したいずれの形態であっても、突出部５Ｆ、５Ｇを指で摘むことができるようになっている。
【００４３】
またさらに別の実施の形態の形態に係る装身具用台座では、図５に示した形態のものを採用することができる。図５に示した装身具用台座１Ｈでは、貼着部材が貼着される貼着面２ａが形成された身体装着部２と、身体装着部２の形成面２ｂから人の指で摘み可能な大きさで突出形成された突出部５Ｈと、身体装着部２の側面２ｃから突出形成された略リング形状をした装飾体取付部４Ａとを含んで構成されている。
【００４４】
図５に示した装身具用台座１Ｈは、実施の形態（１）に係る装身具用台座１のように延出部３を備えていないが、突出部５Ｈを備えているので、突出部５Ｈを指先で摘むことができ、実施の形態（１）に係る装身具用台座１と略同様の効果を得ることができる。
【００４５】
図６は、実施の形態（２）に係る装身具用台座を示す斜視図であり、（ａ）は突出部が取り外されている状態、（ｂ）は突出部が取り付けられている状態を示している。但し、実施の形態（１）に係る装身具用台座１と同一機能を有する構成部品には同一符号を付し、ここではその説明を省略する。
【００４６】
実施の形態（１）に係る装身具用台座１では、突出部５が身体装着部２の形成面２ｂに一体形成されているが、実施の形態（２）に係る装身具用台座１Ｉでは、身体装着部２Ａの形成面２ｂの周縁部に突出部５Ｉを着脱可能に嵌合させる嵌合部２ｄが形成され、突出部５Ｉが嵌合部２ｄに着脱可能となっている。突出部５Ｉは、シリコン樹脂（ゴム）などの弾性樹脂素材を用いて略円錐形状に形成されており、弾性樹脂素材の弾性を利用して、その円錐底面部を嵌合部２ｄに嵌め込むことが可能となっている。
【００４７】
上記実施の形態（２）に係る装身具用台座１Ｉによれば、身体装着部２Ａに嵌合部２ｄが形成されているので、突出部５Ｉを着脱可能に嵌合させることが可能となり、突出部５Ｉを交換できるタイプのものにすることができる。また、突出部５Ｉが弾性樹脂部材、例えば、柔らかいシリコン樹脂などで形成されているので、嵌合部２ｄへの嵌め込み（着脱）を容易に行うことができ、また、指で摘むときに滑りにくく持ちやすく、触感をソフトなものにすることができる。また、様々な色、デザイン形状をした突出部を用意しておくことで、デザインのバリエーションを楽しむことが可能となり、ファッション性を高めることができる。
【００４８】
なお、身体装着部２Ａに形成される嵌合部２ｄの形状は、上記形態に限定されるものではなく、採用される突出部の形状を考慮し、該突出部を着脱可能に嵌合できる種々の形態のものを採用することができる。例えば、図１、図３（ａ）〜（ｅ）、図４（ａ）、（ｂ）で説明した各装身具用台座の突出部を着脱可能となるように、身体装着部２の形成面２ｂに嵌合溝や嵌合穴が形成された構成を採用することができる。
【符号の説明】
【００４９】
１、１Ａ、１Ｂ、１Ｃ、１Ｄ、１Ｅ、１Ｆ、１Ｇ、１Ｈ、１Ｉ  装身具用台座
２、２Ａ  身体装着部
２ａ  貼着面
２ｂ  形成面
２ｃ  側面
２ｄ  嵌合部
３  延出部
４、４Ａ  装飾体取付部
５、５Ａ、５Ｂ、５Ｃ、５Ｄ、５Ｅ、５Ｆ、５Ｇ、５Ｈ、５Ｉ  突出部
１０  装飾体
１１  装身具
【図１】
0003199360.tif 000003
【図２】
0003199360.tif 000004
【図３】
0003199360.tif 000005
【図４】
0003199360.tif 000006
【図５】
0003199360.tif 000007
【図６】
0003199360.tif 000008
【図７】
0003199360.tif 000009